(57)【要約】【課題】有害・競合貝類による生息環境の悪化を防止してアサリ等の繁殖促進をより効率的にすることのできる有用二枚貝の繁殖促進方法の提供を目的とする。また、良好な生息環境の維持によりアサリ等の幼生の着底を促進することのできる着底促進ユニットの提供を目的とする。【解決手段】アサリ等の有用二枚貝１の生息干潟の地面２上に海水の流れにより往復移動する紐状の掃引体３を配置し、地面２表層への有害・競合貝類４の着生を規制して生息干潟における有用二枚貝１の繁殖を促進する。  また、メッシュ状の袋体７に着底促進基材６を袋詰めするとともに、掃引体３を袋表面上で移動自在に連結して着底促進ユニットを構成する。【選択図】図１
2015208259.tif 000002
【特許請求の範囲】
【請求項１】
アサリ等の有用二枚貝の生息干潟の地面上に海水の流れにより往復移動する紐状の掃引体を配置し、地面表層への有害・競合貝類の着生を規制して生息干潟における有用二枚貝の繁殖を促進する有用二枚貝の繁殖促進方法。
【請求項２】
前記掃引体は、両端が往復移動自在に支持される請求項１記載の有用二枚貝の繁殖促進方法。
【請求項３】
前記地面には、表面がメッシュ状の覆いにより覆われた多数の着底促進基材が配置される請求項１または２記載の有用二枚貝の繁殖促進方法。
【請求項４】
前記着底促進基材がメッシュ状の袋体に予め袋詰めされて地面上に敷設される請求項３記載の有用二枚貝の繁殖促進方法。
【請求項５】
前記掃引体がメッシュ状の覆いに連結される請求項３または４記載の有用二枚貝の繁殖促進方法。
【請求項６】
メッシュ状の袋体に着底促進基材の多数を袋詰めするとともに、掃引体を袋体表面上で移動自在に連結した着底促進ユニット。
【請求項７】
前記袋体内部を複数に区画した請求項６記載の着底促進ユニット。
【発明の詳細な説明】
【技術分野】
【０００１】
本発明は有用二枚貝の繁殖促進方法、および着底促進ユニットに関するものである。
【背景技術】
【０００２】
アサリ等の繁殖の促進としては、従来、例えば特許文献１に記載されるように、所定の粒径の製鋼スラグを着底材として浜辺などに散布等することが知られている。着底材としての製鋼スラグをアサリの幼生が着底を好む粒径にすることにより、その着底性が向上される。
【先行技術文献】
【特許文献】
【０００３】
【特許文献１】特開２０１２-０５５１７７号公報
【発明の開示】
【発明が解決しようとする課題】
【０００４】
しかしながら、上述した従来例は、有害・競合貝類によって効率が低下するおそれがある。
【０００５】
例えば、アサリとともに干潟に生息することの珍しくないホトトギスガイは、互いに足糸により絡み合って地面表層を覆うマット状の集団を形成し、アサリの生息する底質環境に悪影響を与えることがある。
【０００６】
本発明は以上の問題を解消すべくなされたもので、有害・競合貝類による生息環境の悪化を防止してアサリ等の繁殖促進をより効率的にすることのできる有用二枚貝の繁殖促進方法の提供を目的とする。また、本発明の他の目的は、良好な生息環境の維持によりアサリ等の幼生の着底を促進することのできる着底促進ユニットの提供にある。
【課題を解決するための手段】
【０００７】
本発明によれば、上記目的は、
アサリ等の有用二枚貝１の生息干潟の地面２上に海水の流れにより往復移動する紐状の掃引体３を配置し、地面２表層への有害・競合貝類４の着生を規制して生息干潟における有用二枚貝１の繁殖を促進する有用二枚貝の繁殖促進方法を提供することにより達成される。
【０００８】
例えば、アサリ１は負の走光性があるために、その幼生は生息干潟の地面２に着底すると、底質を構成する砂に潜ることが知られている。一方、ホトトギスガイ４は、反対に正の走光性があるために、着底後に底質の表面に止まることが知られている。したがって往復移動する掃引体３を生干潟の地面２上に配置することにより、底質中へと潜るアサリ１にはあまり影響することなく、底質表面に止まるホトトギスガイ４の着生を規制することができる。これにより、上述したマット状の集団の形成を防止してアサリ１の生育環境を良好に維持することができる。
【０００９】
このように、本発明において有用二枚貝１とは、食用になるなど有用な二枚貝であって干潟の底質中に潜るものを、一方、有害・競合貝類４とは、人間にとって有害、あるいは上記有用二枚貝１と同じ生息環境で競合することのある貝類であって干潟の地面２上に着生し、有用二枚貝１の生育を阻害することのあるものを指す。
【００１０】
また、干潟には河川から流れてくる細かい泥が堆積してしまうこともあるが、上述の掃引体３による往復移動、すなわち掃引によれば、このような泥の堆積をも防止、抑制することができ、これにより有用二枚貝１の幼生の着底環境を良好に維持することができる。
【００１１】
上記掃引体３は、海水の流れ、すなわち波や潮流により往復移動して有害・競合貝類４の干潟の地面２上への着生を妨げることができるものであれば足り、具体的には例えば、後述する実施の形態に示すように１．３前後の比重の素材により構成することが可能である。また、掃引体３の移動は、例えば潮汐により一日当たり二回往復する程度であれば、有用二枚貝１の着底や潜砂行動をあまり妨げる心配はない。また、このような潮汐に伴って干潟の地面２に潮が満ちる際や潮が引く際の波によってさらに複数回一時的に往復しても同様である。
【００１２】
さらに、掃引体３は紐状に形成されるため、例えば、その一端に重錘を取り付けたり、アンカーボルトで地面２に固定等すれば、妄りに干潟外に流されることはない。また、その両端を往復移動自在に支持しておけば、所定の地面２範囲をある程度の頻度で確実に掃引することが可能になる。なお、掃引体３を往復移動自在にする方向は、潮流や波の動揺によって掃引体３を効率的に移動させることを重視する場合には、潮の満ち引きが生じる方向にできる限り合致させることが望ましい。
【００１３】
加えて、以上の掃引体３が配置される干潟の地面２上に上述した従来例と同様に着底促進基材６を散布すれば、この着底促進基材６による幼生の着底促進を通じて有用二枚貝１の繁殖をより促進することができる。この場合において、多数の着底促進基材６、６、・・の表面をメッシュ状の覆い５により覆っておけば、掃引体３による掃引によって着底促進基材６が流失してしまうのを簡単に防止、抑制することが可能になる。この場合、覆い５は具体的には着底促進基材６が通過不能、あるいは通過困難なメッシュサイズにされる。また、メッシュサイズをより小さくすれば、有用二枚貝１の幼生の進入をあまり妨げることなく、その外敵による食害を防止することも可能になる。
【００１４】
加えてまた、このように多数の着底促進基材６、６、・・・の表面を覆い５によって覆うようにするために、着底促進基材６をメッシュ状の袋体７に予め袋詰めして地面２上に敷設した場合には、この袋体７を持ち運ぶ等して移動させることにより有用二枚貝１を生育段階に応じた適切な育成環境に移送したり、さらには、成長した成貝を袋体７を利用して容易に収穫することも可能になる。なお、収穫に利用する場合には、メッシュサイズを一般的な成貝の大きさよりも小さくすれば足りる。
【００１５】
さらにまた、上記掃引体３をメッシュ状の覆い５に連結すれば、掃引体３の掃引範囲を覆い５の表面に、言い換えれば着底促進基材６の表面側への掃引体３による掃引を確実にすることが可能になる。
【００１６】
また、以上の有用二枚貝の繁殖促進方法において使用可能であって、良好な生息環境の維持によりアサリ等の幼生の着底を促進することのできる着底促進ユニットＡは、
メッシュ状の袋体７に着底促進基材６の多数を袋詰めするとともに、掃引体３を袋体７表面上で移動自在に連結して構成することができる。
【００１７】
この場合において、袋体７内部を複数に区画した場合には、着底促進基材６の多数が袋体７内で偏ってしまうのを防止することが可能になり、良好な着底環境をより広い範囲で簡単に確保することができる上に、袋体７を地面２に置いたときには、着底促進基材６が充填されない区画の境界部分の厚さが他の部分よりも薄くなるために、干潟の地面２のいわゆる砂廉を擬似的に形成することができ、有用二枚貝１の着底性を向上させることが可能になる。すなわち、干潟の地面２には微少な凹凸が形成されており、この上を海水が流
れることにより、波浪の遮蔽効果、より具体的に言えば、凹部で大小の渦が発生し、これにより水平方向に流速の変化が生じる上に、このような流速変化の推移の小さな領域も形成される。経験上、このような領域においてアサリの着底性が高いことが認められている。
【発明の効果】
【００１８】
以上の説明から明らかなように、本発明によれば、有害・競合貝類による生息環境の悪化を防止して有用二枚貝の繁殖促進をより効率的にすることができ、近年減少傾向にあるアサリ等の有用二枚貝の資源復活、再生を効率的に図ることができる。
【図面の簡単な説明】
【００１９】
【図１】着底促進ユニットの設置状態を示す図で、（ａ）は平面図、（ｂ）は（ａ）の１Ｂ-１Ｂ線断面図であって有用二枚貝の繁殖促進機能を説明する図である。
【発明を実施するための形態】
【００２０】
図１に本発明の実施の形態を示す。この実施の形態において、着底促進ユニットＡは、図１（ａ）に示すように、支持体１１によって両端を往復移動自在に支持される掃引体３を有する。
【００２１】
上記掃引体３は、比重が１．３の材料を紐状にして形成される。この実施の形態においては例えばこのような材料として、ビニロン等の合成樹脂材が用いられる。この掃引体３の両端には、支持体１１に連結される連結具１２が各々取り付けられる。この連結具１２は、この実施の形態においては掃引体３のより戻しを可能にするものであり、例えばより戻し（猿環）により構成することが可能で、この場合には一方の環が掃引体３の端部に取り付けられる。
【００２２】
一方、支持体１１は、この実施の形態においては一対の平行な索状部材、例えばワイヤであり、索状部材１１、１１間は掃引体３の両端と同じ程度の間隔を隔てる。したがって上述の連結具１２を各索状部材１１に連結、例えば上述したより戻しの他方の環に索状部材１１を通すことにより、掃引体３が索状部材１１に直交する姿勢で索状部材１１の長手方向に往復移動自在に支持される。
【００２３】
また、着底促進ユニットＡは、図１（ｂ）に示すように、以上の掃引体３の往復移動可能な領域に配置される着底促進基材６の多数を有する。この着底促進基材６は、干潟の地面２上に散布することによりアサリ１の幼生の着底を促すことのできる適度の大きさを備えたもので、この実施の形態においては具体的には直径および長さがそれぞれ１０ミリ程度の円柱形状に形成される。
【００２４】
また、上記着底促進基材６は、大型低気圧の襲来時などに生じる強い波によって干潟の底質が液状化したときにも埋没しない１．１から１．７の範囲の嵩比重、言い換えれば砂よりも小さい程度の水中嵩比重を備える。以上の着底促進基材６は、この実施の形態においては陶土と比重調整材料を約８０％と約２０％の割合で混合したものを粉砕、成形、焼成して形成される。より具体的には陶土には木節粘土を、比重調整材料には貝殻を用い、粉砕はボールミルにより粘土を３０ミクロン以下、貝殻を３００ミクロン以下にし、成形および焼成は、粉砕後に得られる粉体に水を加えて泥状にした上でフィルタープレスにより濾過、脱水した後、ニーダーで混練してから押し出し成形機により押し出し成形し、得られた成形体を乾燥後に、ロータリーキルン等で高温焼成してなされる。
【００２５】
さらに、着底促進ユニットＡは、図１（ａ）および（ｂ）に示すように、以上の着底促進基材６の多数を収容するメッシュ状の袋体７と、この袋体７を所定の位置に固定するた
めの固定部材１３を有する。上記袋体７は、例えば合成繊維を上述した着底促進基材６が通り抜けにくいメッシュサイズの袋状に編み込むことにより形成され、平面視矩形状をなす。この袋体７の少なくとも四隅部分には、上述した固定部材１３に取り付けるための取付部７ａが形成される。この取付部７ａは、例えば紐により構成することが可能である。
【００２６】
また、以上の袋体７は、その内部が複数のブロック７ｂ、７ｂ、・・に区画される。袋体７は例えば、平面視において一辺が１メートル程度の長さに形成され、その区画は、特定の一辺と平行に袋体７の内部を複数に仕切ることによりなされる。これにより各ブロック７ｂは一定の方向に長尺に形成される。
【００２７】
一方、固定部材１３は、この実施の形態においては上述の袋体７の平面視におけるサイズよりもひとまわり大きい矩形の枠材１３ａと、この矩形の枠材１３ａを所定の位置に固定するための図外のアンカーボルトとを有する。上記枠材１３ａは、例えば塩ビ管を継ぎ手により枠組みして形成することができる。一方、アンカーボルトは、例えば、先端が鋭利な金属の棒材の後端部を枠材１３ａに係止可能に折り曲げて構成することができる。
【００２８】
加えて、着底促進ユニットＡは、図１（ａ）に示すように、上述した枠材１３ａの複数を相互に連結して格子状に枠組みするとともに、その目の内部にそれぞれ袋体７を取り付けて形成される。さらに、このように袋体７、すなわち着底促進基材６が方形に並べられる、言い換えればｍ×ｎ行列のように配置されることに伴い、索状部材１１は、枠材１３ａとほぼ同じように格子状に索状部材１１を並べて構成される。このように索状部材１１を掃引体３と平行方向にも配設することにより、掃引体３の両端に対応する索状部材１１、１１間の間隔を長い距離範囲で良好に維持することができる。
【００２９】
以上の着底促進ユニットＡは、図１に示すように、アサリ１の生息干潟の地面２上に設置される。設置は、着底促進基材６を収容する袋体７を取り付けた固定部材１３と、掃引体３を連結した支持体１１とをそれぞれ地面２に固定してなされる。支持体１１の地面２への固定に際しては、掃引体３が袋体７の表面上を往復移動できるように、袋体７や枠材１３ａと位置合わせされる。具体的には例えば、掃引体３を取り付けない状態で支持体１１のみを地面２に敷設した後、この支持体１１の上面に、該支持体１１と枠材１３ａのそれぞれの格子の目が重なるように位置合わせして枠材１３ａを重ねた上で、枠材１３ａをアンカーボルトにより固定すれば、支持体１１を固定部材１３を介して地面２に固定することもできる。なお、図１（ａ）において矢印は潮流の方向である。
【００３０】
図１（ｂ）に示すように、設置状態において着底促進基材６は袋体７の各ブロック７ｂの内部にまとまり、ブロック７ｂ、７ｂの境界部分と相まって全体として表面側に凹凸を生じるように配置される。満潮の際に砂等の細粒分が着底促進ユニットＡへと潮流によって運ばれると、細粒分と着底促進基材６を適度に含む底質が形成される。
【００３１】
また、潮汐の際しては、図１（ｂ）に二点鎖線の矢印で示すように、潮流によって掃引体３が袋体７の表面を掃引するように移動し、その表面上への細粒分の堆積を防止して着底促進基材６を底質表層に露出させるとともに、このようにして露出する着底促進基材６の表面に着生しようとした有害・競合貝類４の幼生も掃引体３に押されるようにして取り除かれる。一方、着底促進基材６の隙間の細粒分に潜るようにして着底する有用二枚貝１の幼生は、掃引体３に邪魔されることなくその場に止まる。さらに、上述した着底促進基材６の配置により生じる凹部１４には、図１（ｂ）に示すように潮流によって大小の渦１５が生じ、これにより同図において実線の矢印で模式的に示すように、着底促進ユニットＡ上で海水の流速が不均一になる上に、凹部１４周辺では流速がなだらかに変化することから、当該領域への有用二枚貝１の幼生の着底が促される。
【００３２】
この後、有用二枚貝１が成長して正貝になったら、枠材１３ａから袋体７を取り外して開けば、簡単に採取することができる。ブロック７ｂは袋体７の特定の一辺に平行な長尺に形成されるために、単に袋体７全体にマトリクス状に形成した場合に比べて採取にあまり手間取ることもない。また、採取に際しては、着底促進基材６が通過可能な網目を備えた篩等を用いることにより、着底促進基材６と有用二枚貝１とを容易に仕分けることができ、また、貝殻のカルシウム分の水和反応によって着底促進基材６、６同士が癒着していても、篩等を適度に震動させることによってこれらを容易に分離させることが可能である。
【００３３】
以上の着底促進ユニットＡは、例えば、レーキを使って干潟を耕してから設置すれば、既に干潟に生息しているホトトギスガイ４を設置領域から予め除去することができる。発明者がこのようにして春に設置したところ、アサリの繁殖が比較的盛んな夏には、干潟内の着底促進ユニットＡを設置していない場所に比べてより多くのアサリ１の幼生の着底が確認されるとともに、より少ないホトトギスガイ４の幼生の着生が確認された。
【００３４】
なお、アサリ１の幼生の着底が安定した後などに、袋体７をアサリ１の餌が豊富な海面付近に移設すれば、アサリ１の成長を促進させることも可能である。例えば、アサリ１と養殖域が近似する海苔の養殖場において、海苔を支持するために海中に立設される支柱を活用してアサリ１を海面付近に保持することもできる。この場合、採取は袋体７を船上に引き上げれば足りるために、冬場などの海水温が低いときの漁労をより楽にすることが可能である。
【符号の説明】
【００３５】
１  有用二枚貝
２  地面
３  掃引体
４  有害・競合貝類
５  覆い
６  着底促進基材
７  袋体
【図１】
2015208259.tif 000003